(57)【要約】【課題】選別室の２番螺旋受樋に２番処理物を脱粒処理する２番脱粒処理手段を設け、穀粒を多く含む２番物は２番処理胴室内へ還元し、多量の藁屑を含む排塵処理物は排塵処理胴室に振り分け還元して処理することで、扱室内で発生する２番物の処理を大幅に向上し、選別負担を軽減し、選別性能の向上を図ること。【解決手段】本発明は、扱室（３）の横側部に還元された２番物を処理する２番処理胴室（８）と扱室終端からの排塵処理物を排塵処理する排塵処理胴室（１０）を並設した脱穀装置において、選別室の２番螺旋受樋（２１）の終端部には脱粒選別処理手段（２３）を設け、脱粒処理された２番物は２番処理胴室（８）内に還元し、排塵処理物は排塵処理胴室（１０）内に還元すべく構成する。【選択図】図２
2020031543.tif 000002
【特許請求の範囲】
【請求項１】
扱室（３）の横側部に、還元された２番物を処理する２番処理胴室（８）と前記扱室（３）終端からの排塵処理物を引き継いで排塵処理する排塵処理胴室（１０）を設け、前記扱室（３）の下方に選別室を設けた脱穀装置において、前記選別室の後部に設けた２番螺旋受樋（２１）の終端部には脱粒選別処理手段（２３）を設け、前記脱粒選別処理手段（２３）によって脱粒処理された２番物は前記２番処理胴室（８）内に還元され、排塵処理物は前記排塵処理胴室（１０）内に還元される構成としたことを特徴とするコンバインの脱穀装置。
【請求項２】
前記脱粒選別処理手段（２３）は、２番螺旋（２０）と一体回転して脱粒処理する脱粒処理歯（２４）と、脱粒処理された２番物を濾過選別する選別網（２５）とから構成された請求項１記載のコンバインの脱穀装置。
【請求項３】
脱粒処理された２番物は前記選別網（２５）を通して下方に漏下させて２番還元筒（２６）内に受け入れ可能に構成し、前記選別網（２５）を漏下しない排塵処理物は前記２番螺旋受樋（２１）終端から排塵還元筒（２７）内に受け入れ可能に構成してある請求項２記載のコンバインの脱穀装置。
【請求項４】
前記脱粒処理歯（２４）は、螺旋軸に固着すると共に、前記脱粒処理歯（２４）に対応する部分の前記２番螺旋（２０）は欠如してある請求項２又は請求項３記載のコンバインの脱穀装置。
【請求項５】
前記選別網（２５）は、前記脱粒処理歯（２４）に対応する位置にあって、前記選別網（２５）面上に脱粒抵抗突起（２８）を突設してある請求項２又は請求項３又は請求項４記載のコンバインの脱穀装置。
【発明の詳細な説明】
【技術分野】
【０００１】
この発明は、コンバインの脱穀装置に関する。
【背景技術】
【０００２】
従来、扱室の横側部に扱胴と平行して２番処理胴と排塵処理胴を軸架した２番処理室と排塵処理室を同一軸芯上に設け、選別室下部の２番螺旋受樋内に落下する２番処理物を２番還元装置を介して２番処理室に還元する技術は一般的に知られている（例えば、特許文献１参照）。
【先行技術文献】
【特許文献】
【０００３】
【特許文献１】特許第３１４６９２４号公報
【発明の概要】
【発明が解決しようとする課題】
【０００４】
本発明は、選別室の２番螺旋受樋に２番処理物を脱粒処理する２番脱粒処理手段を設け、穀粒を多く含む２番物は２番処理胴室内へ還元し、多量の藁屑を含む排塵処理物は排塵処理胴室に振り分け還元して処理することで、扱室内で発生する２番物の処理を大幅に向上し、選別負担を軽減し、選別性能の向上を図ることを目的とする。
【課題を解決するための手段】
【０００５】
この発明は、上記課題を解決すべく次のような技術的手段を講じた。
【０００６】
すなわち、請求項１記載の発明は、扱室（３）の横側部に、還元された２番物を処理する２番処理胴室（８）と前記扱室（３）終端からの排塵処理物を引き継いで排塵処理する排塵処理胴室（１０）を設け、前記扱室（３）の下方に選別室を設けた脱穀装置において、前記選別室の後部に設けた２番螺旋受樋（２１）の終端部には脱粒選別処理手段（２３）を設け、前記脱粒選別処理手段（２３）によって脱粒処理された２番物は前記２番処理胴室（８）内に還元され、排塵処理物は前記排塵処理胴室（１０）内に還元される構成とした。
【０００７】
請求項２記載の発明は、請求項１において、前記脱粒選別処理手段（２３）は、２番螺旋（２０）と一体回転して脱粒処理する脱粒処理歯（２４）と、脱粒処理された２番物を濾過選別する選別網（２５）とから構成された。
【０００８】
請求項３記載の発明は、請求項２において、脱粒処理された２番物は前記選別網（２５）を通して下方に漏下させて２番還元筒（２６）内に受け入れ可能に構成し、前記選別網（２５）を漏下しない排塵処理物は前記２番螺旋受樋（２１）終端から排塵還元筒（２７）内に受け入れ可能に構成してある。
【０００９】
請求項４記載の発明は、請求項２又は請求項３において、前記脱粒処理歯（２４）は、螺旋軸に固着すると共に、前記脱粒処理歯（２４）に対応する部分の前記２番螺旋（２０）は欠如してある。
【００１０】
請求項５記載の発明は、請求項２又は請求項３又は請求項４において、前記選別網（２５）は、前記脱粒処理歯（２４）に対応する位置にあって、前記選別網（２５）面上に脱粒抵抗突起（２８）を突設してある。
【発明の効果】
【００１１】
請求項１記載の発明によれば、２番螺旋受樋内で脱粒処理された２番物中の穀粒や枝梗粒は２番処理胴室内へ、藁屑などの排塵処理物は排塵処理胴室内へ振り分け還元されるので、選別室内での選別負担が軽減され、選別性能をより高めることができる。
【００１２】
請求項２記載の発明によれば、請求項１記載の発明の効果に加えて、脱粒選別処理手段は、脱粒処理歯と選別網とによって構成されるので、２番螺旋受樋内での２番物の脱粒処理が効果的に行え、２番処理胴の処理に加えて２番物と藁屑との分離効果がより高められる。
【００１３】
請求項３記載の発明によれば、請求項２記載の発明の効果に加えて、脱粒処理された２番物は選別網を通して下方に漏下させることで、２番還元筒内への下方からの受け入れが容易にでき、また、藁屑などの排塵物はそのまま２番螺旋終端から排塵還元筒を介して２番処理胴室内へ還元処理することができる。
【００１４】
請求項４記載の発明によれば、請求項２又は請求項３記載の発明の効果に加えて、脱粒処理歯による脱粒作用中は、螺旋による強制送り作用がないため、脱粒処理作用が充分に行える。
【００１５】
請求項５記載の発明によれば、請求項２又は請求項３又は請求項４記載の発明の効果に加えて、選別網には脱粒抵抗突起が突設されているので、脱粒処理歯の作用と相俟って脱粒処理効果をより高めることができる。
【図面の簡単な説明】
【００１６】
【図１】脱穀装置の要部の切断側面図
【図２】同上要部の切断背面図
【図３】同上要部の側面図
【図４】脱穀装置の要部の側断面図
【図５】格子状受網の平面図
【図６】コンバインの側面図
【図７】コンバインの平面図
【発明を実施するための形態】
【００１７】
この発明の実施例を図面に基づき説明する。
【００１８】
図１は、コンバイン用脱穀装置の側断面図を示すものであり、次のような構成になっている。
【００１９】
すなわち、脱穀装置（脱穀部）１は、刈取部側から引き継がれる脱穀フィードチェンにより株元を挟持しながら搬送される穀稈の穂先部を扱室３内で駆動回転する扱胴４により脱穀処理するよう構成している。扱室３の下半周部には受網５が張設されている。
【００２０】
扱室３の終端側には多量の藁屑や未処理物を含む排塵処理物を下方のふるいラック板６上に落下させてふるい選別する排塵口が設けられている。
【００２１】
前記扱室３のフィードチェン側とは反対側一側には、扱室３下方の選別室からの２番物（穂切れなどの未処理物を含む）を受け入れて処理する２番処理胴７を内装する２番処理室８と、扱室終端の送塵口から排塵物を受け入れて排塵処理する排塵処理胴９を内装する排塵処理室１０を扱胴軸と平行状に並設している。
【００２２】
扱室３の下方から後方にわたる選別室内には、揺動選別棚１２が設けられ、揺動クランク機構によって前後方向に揺動駆動されるようになっていて、脱穀処理後及び２番処理後の処理物を受け入れて揺動移送しながらふるい選別する構成になっている。
【００２３】
揺動選別棚１２は、選別方向上手側から移送棚１３、チャフシーブ１４、ストロ−ラック１５の順に配置し、且つ、前記チャフシ−ブ１４の下方にグレンシ−ブ１６を配置して設けた構成としている。
【００２４】
また、揺動選別棚１２の下方には選別方向の上手側から順に、唐箕１７、１番螺旋１８を内装する１番受樋１９、２番螺旋２０を内装する２番受樋２１が設けられ、その上方に吸引排塵フアン２２が設けられている。
【００２５】
２番螺旋２０及び２番受樋２１には、受樋２１内に落下する２番物を脱粒処理する脱粒選別処理手段２３が設けられ、脱粒処理された２番物は、２番処理胴７の２番処理室８内に還元され、選別処理された藁屑などの排塵処理物は、排塵処理胴９の排塵処理室１０内に還元されるようになっている。
【００２６】
すなわち、脱粒選別処理手段２３は、２番螺旋２０と一体回転して受樋との間で脱粒処理する数個の脱粒処理歯２４と、前記脱粒処理歯２４に対応する受樋２１の底部に位置して脱粒処理された２番物を漏下選別する選別網２５とからなっており、そして、脱粒処理された２番物は選別網２５から下方に漏下し、２番還元筒２６内に受け入れ、２番揚穀螺旋２６ａを介して２番処理室８の始端側に還元されて処理される。選別網２５を漏下しない藁屑などの排塵処理物は、２番受樋２１の終端に連通された排塵還元筒２７内に受け入れて排塵揚上螺旋２７ａを介して送り上げ、排塵処理室１０内へ還元して処理するようになっている。
【００２７】
なお、２番螺旋２０の受樋は脱穀装置１の内側の側壁を貫通して機体奥側へ延在しており、脱粒選別処理手段２３は、脱穀装置１の内側の側壁よりも機体内側に配置されている。
【００２８】
脱粒処理歯２４の有する範囲では螺旋による送り作用を欠如することで、送り作用が緩慢となり、対応側の選別網との脱粒処理機能を高めることができる。
【００２９】
また、選別網２５には、脱粒処理歯２４に対する脱粒機能を高めるため、脱粒抵抗突起２８が突設されている。
【００３０】
なお、選別網２５の形状は、クリンプ網、丸穴目抜き鉄板、角穴目抜き鉄板、角長穴目抜き鉄板(長穴方向は搬送方向と同方向)、菱形角穴目抜き鉄板、菱型角長穴目抜き鉄板であってもよい。
【００３１】
２番揚穀螺旋２６ａへの伝動は、２番螺旋２０の軸２０ａからチェン伝動機構２９、横伝動軸３０、ベベルギヤ機構３１を介して回転駆動するようになっている。また、排塵揚上螺旋２７ａへの伝動は、２番螺旋軸２０ａからベベルギヤ機構３１を介して回転駆動するようになっている。なお、３２は１番揚穀筒で、コンバインのグレンタンクに連通している。
【００３２】
次に、図４に示す２番処理胴７及び２番処理室８の構成例について説明すると、２番処理胴７の外周には、還元口からの２番物を所定区間前方に向けて速やかに送り出す連続の送り螺旋３３を巻回し、そして、これより終端側に至る範囲では、前方側（終端側）への送りをかけながら脱粒処理する突条の処理歯３４などからなる構成としている。２番処理室８の終端（前端）にまで送られた２番処理物は排出羽根３５によって排出口から下方の選別室内における謡動選別棚の始端側に還元されるようになっている。そして、２番処理胴７の送り螺旋３３部分に対応する処理室８内は無孔の受け板３６によって構成し、また、処理歯３４に対応する処理室内では処理物を漏下させる格子状受網３７によって構成される。
【００３３】
従って、前記２番螺旋２０からの２番物は、２番還元筒２６を介して還元口から２番処理室８内に還元されて再処理されるが、２番処理室８の始端側では、２番処理胴７の送り螺旋３３にて速やかに所定範囲送られる。そして、それより以降の終端側では、２番処理胴７の処理歯３４と２番処理室の格子状受網３７との間で脱粒処理され、脱粒処理された処理物は、格子状受網３７から下方の揺動選別棚１２上に漏下しながら送られて、最終的には終端の排出口から排出羽根３５を介して下方の揺動選別棚の始端側(移送棚の右側)に排出落下されることになる。
【００３４】
前記格子状受網３７は、図５に示すように、円周方向に沿わせて軸芯方向所定間隔おきにソリッド板３８を配設し、軸芯方向には、処理物を漏下させる丸棒３９が円周方向所定間隔おきに配置された構成になっており、２番処理胴７に処理歯３４を配置した箇所では、円周方向にソリッド板３８を設けることで、処理歯とソリッド板による軸方向への脱粒抵抗が増し、扱き作用を受けながら撹拌され枝梗粒も減少する。また、軸方向の丸棒によって処理物の漏下を促進することができる。
【００３５】
また、ソリッド板３８は、軸芯方向の間隔を始端側は狭く、終端側ほど広くなるよう構成されている。格子状受網３７のうち、ソリッド板３８の上面は丸棒３９より高くしてあり、そして、丸棒３９はソリッド板３８に開けた穴に貫通した後、取付プレートをボルトで締付けて丸棒を固定する組付け方式に構成されている。
【００３６】
送り螺旋３３の終端部は、格子状受網３７側に臨む位置まで延出させてラップ範囲を構成することで、送り螺旋による送り作用から処理歯による脱粒作用の引継ぎが良好で、一連の処理作用をスムーズに行うことができる。
【００３７】
図６例は、コンバインにおいて、グレンタンクＧに穀粒が満杯になると、収納状態の排出オーガ４１を上下、左右に旋回させてトラック等に排出するが、路上走行や刈取作業時は、排出オーガは収納状態にしておく。路上走行時の機体振動や作業時の機体の傾きによって、排出オーガ４１先端の排出口４２が下向きになっているため、排出オーガ内の籾がこぼれ落ちる問題があった。
【００３８】
そこで、機体が前側に傾く（前傾姿勢）と、排出オーガ先端の排出口４２が自動で上向きに回動するようになっている。また、機体が左傾斜すると（図７のように、排出オーガ先端が機体の左側にあるため）、排出口が自動で上向きに回動するようになっている。更に、脱穀レバーを入りにすると、排出口が自動で上向きとなる構成とすることで、刈取作業中に籾こぼれをなくすことができ、副変速装置を高速にすると、排出口が自動で上向きになる構成とすることでも籾こぼれを防止できる。
【００３９】
また、キャビン装備のコンバインにおいて、ワイパーを入りにすると、籾排出口が自動で下向きとなるように構成することで、降雨時には下向きとなることで、下向き操作を忘れていても濡れることがなくなる。
【００４０】
駐車ブレーキをロックすると、自動で籾排出口を下向きにすると、コンバインへのシートかけや納屋収納が楽にできる。
【符号の説明】
【００４１】
１    脱穀装置(脱穀部)
３    扱室
４    扱胴
７    ２番処理胴
８    ２番処理室
９    排塵処理胴
１０    排塵処理室
２０    ２番螺旋
２１    ２番受樋
２３    脱粒選別処理手段
２４    脱粒処理歯
２５    選別網
２６    ２番還元筒
２７    排塵還元筒
２８    抵抗突起
【図１】
2020031543.tif 000003
【図２】
2020031543.tif 000004
【図３】
2020031543.tif 000005
【図４】
2020031543.tif 000006
【図５】
2020031543.tif 000007
【図６】
2020031543.tif 000008
【図７】
2020031543.tif 000009